(57)【要約】  長期間使用しても十分に蒸れ防止機能を発揮する蒸れ防止機能付き中敷を提供することを目的とし、靴中に載置される足形に形成された中敷（５０）であって、足形に形成され、複数の小穴（４）が形成された上層部（１１）と、小穴（４）に対応する位置に複数の空気穴（５）が穿孔された複数のチューブ（１２ａ）により形成され、複数のチューブ（１２ａ）が足形の前方と後方では足形の前後方向に設置され、足形の中間部では足形の左右方向に設置された中層部（５１）と、格子状に織られたメッシュ布を前記足形に形成した下層部（１３）と、から構成され、複数のチューブ（１２ａ）が所定の間隔を保持するように上層部（１１）、中層部（５１）及び下層部（１３）が縫製されて成ることを特徴とする蒸れ防止機能付き中敷。
2016084252.tif 000002
【特許請求の範囲】
【請求項１】
靴中に載置される足形に形成された中敷であって、  前記足形に形成され、複数の小穴が形成された上層部と、  前記小穴に対応する位置に複数の空気穴が穿孔された複数のチューブにより形成され、前記複数のチューブが前記足形の前方と後方では足形の前後方向に設置され、前記足形の中間部では足形の左右方向に設置された中層部と、  格子状に織られたメッシュ布を前記足形に形成した下層部と、から構成され、  前記複数のチューブが所定の間隔を保持するように前記上層部、前記中層部及び前記下層部が縫製されて成ることを特徴とする蒸れ防止機能付き中敷。
【請求項２】
前記複数のチューブの断面形状が、円形、楕円及び台形のいずれかであることを特徴とする請求項１に記載の蒸れ防止機能付き中敷。
【請求項３】
前記上層部が、皮革材又はスポンジ材で構成されていることを特徴とする請求項１に記載の蒸れ防止機能付き中敷。
【請求項４】
靴中に設置される足形に形成された中敷であって、  格子状に織られたメッシュ布を前記足形に形成した上層部及び下層部と、  複数のチューブにより形成され、前記複数のチューブが前記足形の前方と後方では足形の前後方向に設置され、前記足形の中間部では足形の左右方向に設置された中層部と、から構成され、  前記複数のチューブが所定の間隔を保持するように前記上層部、前記中層部及び前記下層部が縫製されて成ることを特徴とする蒸れ防止機能付き中敷。
【請求項５】
前記下層部のメッシュ布の目が、前記上層部のメッシュ布の目よりも細かいことを特徴とする請求項４に記載の蒸れ防止機能付き中敷。
【請求項６】
前記中層部の複数のチューブの１つが、踵部から足側部の周縁部に沿うようにＵ字形状に形成されたことを特徴とする請求項１又は４に記載の蒸れ防止機能付き中敷。
【請求項７】
前記中層部は、前記Ｕ字形状に形成されたチューブの上側に更にＵ字形状に形成されたチューブが１層又は２層積載され、  前記上層部と前記下層部が、積載された前記Ｕ字形状のチューブを挟み込むための側面部を有することを特徴とする請求項６に記載の蒸れ防止機能付き中敷。
【請求項８】
前記下層部の前記側面部の表面に両面接着テープが設置されていることを特徴とする請求項７に記載の蒸れ防止機能付き中敷。
【請求項９】
靴中に載置される足形に形成された中敷であって、  前記足形に形成され、踵側と前方部に複数の小穴が形成された上層部と、  前記足形の前後方向に設置され、前記小穴に対応する位置に複数の空気穴が穿孔された断面が楕円形状の複数のチューブからなる中層部と、  格子状に織られたメッシュ布を前記足形に形成した下層部と、から構成され、  前記複数のチューブが所定の間隔を保持するように前記上層部、前記中層部及び前記下層部が縫製されて成ることを特徴とする蒸れ防止機能付き中敷。
【請求項１０】
前記中層部の複数のチューブの１つが、踵部から足側部の周縁部に沿うようにＵ字形状に形成され、前記Ｕ字形状に形成されたチューブの断面積が、他のチューブの断面積よりも大きいことを特徴とする請求項９記載の蒸れ防止機能付き中敷。
【請求項１１】
前記上層部が、皮革部材又はスポンジ材で構成されていることを特徴とする請求項９又は１０に記載の蒸れ防止機能付き中敷。
【請求項１２】
前記複数のチューブの断面形状が、台形形状であることを特徴とする請求項９乃至１１のいずれか１項に記載の蒸れ防止機能付き中敷。
【請求項１３】
請求項１乃至１２のいずれか１項に記載の蒸れ防止機能付き中敷を有する靴であって、前記靴のつま先部と踵部に空気穴を有することを特徴とする靴。
【請求項１４】
前記靴の前記空気穴が形成された箇所の内側に、防水透湿性素材が設置されていることを特徴とする請求項１３に記載の靴。
【請求項１５】
請求項１乃至１２のいずれか１項に記載の蒸れ防止機能付き中敷をスリッパ底としたことを特徴とするスリッパ。
【発明の詳細な説明】
【技術分野】
【０００１】  本発明は、靴内の足裏に空気を吐出させることで蒸れを防止する蒸れ防止機能付き中敷及びそれを備えた靴及びスリッパに関する。
【背景技術】
【０００２】  足裏の蒸れを防止するために靴内の空気を換気する機能を有する靴又は中敷として、従来から足裏の蒸れ防止機能付き中敷が市販されている。また、本出願人は例えば特許文献１において、蒸れ防止機能付き中敷に関する技術を開示している。特許文献１の蒸れ防止機能付き中敷について説明する。【０００３】  図１５（ａ）は特許文献１に係る蒸れ防止機能付き中敷（以下、中敷と記す）１０で、足形に形成された中敷１０は、図１５（ｂ）に示すように三層構造を有している。中敷１０の構成は、皮或いは人口皮の表皮１ａで形成した上層部１と、樹脂製の弾力のあるチューブ２ａを並べて配置した中層部２と、通気性のあるメッシュ布３ａで形成した下層部３からなり、これら三層が中層部２を形成する其々のチューブ２ａを離すように縫製糸６で縫製した構成となっている。【０００４】  中敷１０の上層部１の表皮１ａには、隔離されたチューブ２ａに沿って、踵側と指先側に穿孔された複数の小穴４が形成され、中敷１０の上層部１と下層部３との通気性を確保している。【０００５】  中層部２のチューブ２ａには、踵と指の付根に相当する位置に各々数か所の空気穴５が穿孔され、該空気穴５は対向する表皮１ａの小穴４と位置が一致するように形成されている。中空構造のチューブ２ａにはシリコンなどの樹脂製のチューブ２ａを採用し、歩行により押し潰されても元の形状に復元する強い弾性を備えた樹脂素材で形成されている。【０００６】  下層部３のメッシュ布３ａは、合成繊維で格子状に織られたメッシュ布３ａを使用することで、靴底３１（図１６）との適度な摩擦により歩行時に中敷１０が滑ることが無く足を確実に保持する機能と、空気を循環させて中敷１０の通気性を高める機能を備えている。【０００７】  更に、中敷１０の下層部３をメッシュ布３ａで形成することで、上層部１を形成する表皮が吸収した足裏の水分を拡散させて中敷１０が湿気を帯びることを防ぐことができる。
【先行技術文献】
【特許文献】
【０００８】
【特許文献１】実用新案登録第３１６６２３６号公報
【発明の概要】
【発明が解決しようとする課題】
【０００９】  しかし、特許文献１の蒸れ防止機能付き中敷には以下のような課題があった。【００１０】  図１６に示すように中敷を継続して使用すると、中層部２のチューブ２ａが上層部１と下層部３に挟まれた空間内で蛇行してしまい、チューブ２ａの空気穴５の位置が上層部１の小穴４の位置からずれてしまう。図１６（ａ）は中敷１０を使用した状態の横断面図であり、図１６（ｂ）はチューブ２ａが蛇行する前の状態を、図１６（ｃ）はチューブ２ａが蛇行した後の状態を示す図である。その結果、足裏側の空気を充分に循環させることができず、十分な蒸れ防止機能を発揮できないという課題があった。これは、チューブ２ａの断面の形状が円形であり、上層部１と下層部３の間の隙間を移動してしまうことに起因するものと考えられる。更に、中敷１０の中層部２は、足の踵側から指先側に設置された複数の直線状のチューブ２ａで構成されているため、長期間使用すると左右の両側が反ってしまうという課題があった。【００１１】  本発明は、上記課題を解決するためになされたものであり、長期間使用しても十分に蒸れ防止機能を発揮する蒸れ防止機能付き中敷及びそれを備えた靴及びスリッパを提供することを目的とする。
【課題を解決するための手段】
【００１２】  本発明は、上記課題を解決するため以下の構成を有する。【００１３】  （１）靴中に載置される足形に形成された中敷であって、  前記足形に形成され、複数の小穴が形成された上層部と、  前記小穴に対応する位置に複数の空気穴が穿孔された複数のチューブにより形成され、前記複数のチューブが前記足形の前方と後方では足形の前後方向に設置され、前記足形の中間部では足形の左右方向に設置された中層部と、  格子状に織られたメッシュ布を前記足形に形成した下層部と、から構成され、  前記複数のチューブが所定の間隔を保持するように前記上層部、前記中層部及び前記下層部が縫製されて成ることを特徴とする蒸れ防止機能付き中敷。【００１４】  （２）前記複数のチューブの断面形状が、円形、楕円及び台形のいずれかであることを特徴とする前記（１）に記載の蒸れ防止機能付き中敷。【００１５】  （３）前記上層部が、皮革材又はスポンジ材で構成されていることを特徴とする前記（１）に記載の蒸れ防止機能付き中敷。【００１６】  （４）靴中に設置される足形に形成された中敷であって、  格子状に織られたメッシュ布を前記足形に形成した上層部及び下層部と、  複数のチューブにより形成され、前記複数のチューブが前記足形の前方と後方では足形の前後方向に設置され、前記足形の中間部では足形の左右方向に設置された中層部と、から構成され、  前記複数のチューブが所定の間隔を保持するように前記上層部、前記中層部及び前記下層部が縫製されて成ることを特徴とする蒸れ防止機能付き中敷。【００１７】  （５）前記下層部のメッシュ布の目が、前記上層部のメッシュ布の目よりも細かいことを特徴とする前記（４）に記載の蒸れ防止機能付き中敷。【００１８】  （６）前記中層部の複数のチューブの１つが、踵部から足側部の周縁部に沿うようにＵ字形状に形成されたことを特徴とする前記（１）又は（４）に記載の蒸れ防止機能付き中敷。【００１９】  （７）前記中層部は、前記Ｕ字形状に形成されたチューブの上側に更にＵ字形状に形成されたチューブが１層又は２層積載され、  前記上層部と前記下層部が、積載された前記Ｕ字形状のチューブを挟み込むための側面部を有することを特徴とする前記（６）に記載の蒸れ防止機能付き中敷。【００２０】  （８）前記下層部の前記側面部の表面に両面接着テープが設置されていることを特徴とする前記（７）に記載の蒸れ防止機能付き中敷。【００２１】  （９）靴中に載置される足形に形成された中敷であって、  前記足形に形成され、踵側と前方部に複数の小穴が形成された上層部と、  前記足形の前後方向に設置され、前記小穴に対応する位置に複数の空気穴が穿孔された断面が楕円形状の複数のチューブからなる中層部と、  格子状に織られたメッシュ布を前記足形に形成した下層部と、から構成され、  前記複数のチューブが所定の間隔を保持するように前記上層部、前記中層部及び前記下層部が縫製されて成ることを特徴とする蒸れ防止機能付き中敷。【００２２】  （１０）前記中層部の複数のチューブの１つが、踵部から足側部の周縁部に沿うようにＵ字形状に形成され、前記Ｕ字形状に形成されたチューブの断面積が、他のチューブの断面積よりも大きいことを特徴とする前記（９）記載の蒸れ防��機能付き中敷。【００２３】  （１１）前記上層部が、皮革部材又はスポンジ材で構成されていることを特徴とする前記（９）又は（１０）に記載の蒸れ防止機能付き中敷。【００２４】  （１２）前記複数のチューブの断面形状が、台形形状であることを特徴とする前記（９）乃至（１１）のいずれか１項に記載の蒸れ防止機能付き中敷。【００２５】  （１３）前記（１）乃至（１２）のいずれか１項に記載の蒸れ防止機能付き中敷を有する靴であって、前記靴のつま先部と踵部に空気穴を有することを特徴とする靴。【００２６】  （１４）前記靴の前記空気穴が形成された箇所の内側に、防水透湿性素材が設置されていることを特徴とする前記（１３）に記載の靴。【００２７】  （１５）前記（１）乃至（１２）のいずれか１項に記載の蒸れ防止機能付き中敷をスリッパ底としたことを特徴とするスリッパ。
【発明の効果】
【００２８】  本発明によれば、長期間使用しても十分に蒸れ防止機能を発揮する蒸れ防止機能付き中敷及びそれを備えた靴及びスリッパを提供することができる。
【図面の簡単な説明】
【００２９】
【図１】実施例１の蒸れ防止機能付き中敷の構成を示す図
【図２】実施例１の蒸れ防止機能付き中敷の他の構成を示す図
【図３】実施例１の楕円断面チューブ及び台形断面チューブの中層部を示す図
【図４】実施例１の蒸れ防止機能付き中敷の使用状態を示す図
【図５】実施例１の他の蒸れ防止機能付き中敷の使用状態を示す図
【図６】実施例１の蒸れ防止機能付き中敷内の空気の流れを示す図
【図７】実施例２の蒸れ防止機能付きスリッパを示す図
【図８】実施例３の蒸れ防止機能付き中敷を用いた靴を示す図
【図９】実施例４の蒸れ防止機能付き中敷の構成を示す図
【図１０】実施例４の他の蒸れ防止機能付き中敷の構成を示す図
【図１１】実施例５の蒸れ防止機能付き中敷の構成を示す図
【図１２】実施例５の蒸れ防止機能付き中敷の使用状態を示す図
【図１３】実施例５の他の蒸れ防止機能付き中敷の構成を示す図
【図１４】実施例５の他の蒸れ防止機能付き中敷の使用状態を示す図
【図１５】従来の蒸れ防止機能付き中敷の構成を示す図
【図１６】従来の蒸れ防止機能付き中敷の使用状態及びチューブの蛇行状態を示す図
【発明を実施するための形態】
【００３０】  本発明を実施するための形態を、図面を参照しつつ以下に説明する。
【実施例１】
【００３１】  ［蒸れ防止機能付き中敷の構成］  本実施例の蒸れ防止機能付き中敷（以下、中敷という）は、従来の中敷のチューブ２ａの蛇行による問題、すなわち小穴４と空気穴５の位置ずれの問題を解決するため楕円断面チューブ１２ａを採用したことを特徴とする。図１は、本実施例の蒸れ防止機能付き中敷の構成を示す図である。基本的な構成は、従来の中敷１０と同様である。即ち、上層部１１、中層部１２及び下層部１３から構成されており、これらは縫製糸６により縫製されて仕上げられる。図１では、上層部１１は皮革材であり、下層部１３はメッシュ材を使用している。メッシュ材を下層部１３に採用することにより、足裏の汗の乾燥を促進することができる。また、皮革材を上層部１１に採用することにより、例えば中敷２０を革靴に使用した場合に、靴の高級感を維持することができる。【００３２】  中層部１２は、断面が楕円形状の複数の楕円断面チューブ１２ａにより構成されている。この断面形状のチューブを採用することにより使用時の蛇行を防止することができる。このことについては、後に詳細に述べる。なお、上層部１１には小穴４が、楕円断面チューブ１２ａには空気穴５が複数開けられているのは従来の中敷１０と同様である。【００３３】  図２は、上層部１４がスポンジ材で、下層部１５が図１の下層部１３よりも更に目の細かいメッシュ材で構成された中敷２１を示している。この中敷２１は、例えば陸上競技の走者が履く運動靴に使用される。上層部１４をスポンジ材とすることで足の衝撃を吸収することができる。なお、中層部１２が楕円断面チューブ１２ａにより構成されている点は、図１の中敷２０と同様である。【００３４】  図３（ａ）は、中敷の周縁部のチューブのみを、径の大きな楕円断面チューブ１２ｂで構成した場合を示している。このように中敷の周縁部のチューブの径を大きくすることで、踵の後方から足の側部を刺激することができ、より履き心地の良い中敷とすることができる。図３（ｂ）は、チューブに台形形状の断面を有する台形断面チューブ１６ａ，１６ｂを採用した場合の例を示す。このように、底面が平坦な台形断面を採用することで、一層チューブの蛇行を防止することができる。なお、図３（ｂ）において、断面積の小さい台形断面チューブ１６ａのみで中層部を構成してもよい。【００３５】  ［蒸れ防止機能付き中敷の使用状態］  図４（ａ）は楕円断面チューブ１２ａのみを用いた中敷２０の使用状態を、図４（ｂ）は楕円断面チューブ１２ａと断面積の大きい楕円断面チューブ１２ｂを用いた中敷の使用状態を示している。図４（ａ）、（ｂ）から分かるように、チューブの断面を楕円形状とすることでチューブを上層部と下層部の間で安定的に拘束することができ、その結果チューブの蛇行が防止され小穴４と空気穴５の位置ずれがなくなり、蒸れ防止機能が十分に発揮される。また、図４（ｂ）に示したように中敷の周縁部を断面積の大きい楕円断面チューブ１２ｂで構成することで、非常に履き心地の良い中敷とすることができる。【００３６】  図５（ａ）は台形断面チューブ１６ａのみを用いた中敷の使用状態を、図５（ｂ）は台形断面チューブ１６ａと断面積の大きい台形断面チューブ１６ｂを用いた中敷の使用状��を示している。図５（ａ）、（ｂ）から分かるように、チューブの断面を台形形状とすることでチューブを上層部と下層部の間でより安定的に拘束することができ、その結果チューブの蛇行が防止され小穴４と空気穴５の位置ずれがなくなる。また、図５（ｂ）に示したように中敷の周縁部を断面積の大きい台形断面チューブ１６ｂで構成することで、非常に履き心地の良い中敷とすることができる。【００３７】  ［蒸れ防止機能付き中敷内の空気の流れ］  図６の断面図で、歩行時における中敷２０の作用を説明する。歩行の際、図６（ａ）に示すように踵が着地して足裏の踵から指先に向かって体重が移動すると、中空構造のチューブ１２ａ内の空気の動きは踵側から指先方向に向かって圧縮される。図６（ｂ）に示す圧縮された空気の塊は、楕円断面チューブ１２ａ先端に向かって移動し、図６（ｃ）に示す指先で地面を蹴る動作で、チューブ１２ａの先端に穿孔された空気穴５から中敷２０の上層部１１の小穴４を介して指付根の間の隙間に圧縮された空気が放出される。【００３８】  この空気穴５から放出された圧縮空気により指周辺に空気の流れが発生し、指と指との間の発汗による湿度を低下させ蒸れを防止するとともに、雑菌による臭いの発生を抑えることができる。また中敷２０の下層部１３をメッシュ布で形成することで、上層部１１を形成する表皮が吸収した足裏の水分を拡散させて中敷２０が湿気を帯びることを防止し、足裏の蒸れを防ぐ効果を発揮している。【００３９】  更に、足裏全体をチューブ１２ａの波形状の凹凸と、歩行によりチューブ１２ａ内の圧縮空気の塊が移動することで足裏全体を刺激する指圧効果を発揮し疲労の軽減と回復が可能となる。【００４０】  以上、本実施例によれば、長期間使用しても十分に蒸れ防止機能を発揮する蒸れ防止機能付き中敷を提供することができる。
【実施例２】
【００４１】  ［蒸れ防止機能付きスリッパ］  本実施例は、実施例１で述べた中敷２０を使用してスリッパ４０とした例である。図７は、このスリッパの外観を示す図である。このスリッパは、中敷２０を中敷として用いずスリッパ底として使用している。このスリッパを履けば、芝生の上を踏み歩く感覚を体感することができる。【００４２】  本実施例によれば、足裏を刺激して履き心地がよく、かつ足の蒸れを防止することができるスリッパを提供することができる。
【実施例３】
【００４３】  ［蒸れ防止機能付き中敷を用いた靴］  図８は、実施例１で説明した中敷を用いた靴の外観と内部構造を示す図である。図８（ａ）に示したように、本実施例の靴は、靴の前側に前方空気穴３０ａを、靴の後側に後方空気穴３０ｂを有している。勿論、これらの空気穴を有しない靴に本発明の中敷を使用することができることは言うまでもない。【００４４】  図８（ｂ）に示したように、後方空気穴３０ｂから入った外気は小穴４，空気穴５を通過した後チューブ１２ａを通る。その後、前方の空気穴５，小穴４を通り前方空気穴３０ａから外部に排出される。このように外気を積極的に靴内部を通過させることで、より一層中敷の蒸れ防止機能を発揮させることができる。【００４５】  図中３０ｃ，３０ｄは防水透湿性素材を示す。すなわち、３０ｃ，３０ｄは水を通さず空気を通す素材である。防水透湿性素材の例として、ゴアテックス（登録商標）等があげられる。３０ｃ，３０ｄを靴の空気穴３０ａ，３０ｂの内壁部に貼り付けることで、雨天時でも安心して蒸れ防止機能付き中敷２０を使用することができる。【００４６】  本実施例によれば、足裏を刺激して履き心地がよく、かつ足の蒸れを防止することができる蒸れ防止機能付き中敷を用いた靴を提供することができる。
【実施例４】
【００４７】  本実施例の蒸れ防止機能付き中敷（以下、「中敷」という）を図９（ａ）に示す。そして、図９（ａ）の中敷５０の構成を図９（ｂ）に示す。本実施例の中敷５０の上層部１１と下層部１３は、図１に示した実施例１の中敷２０のものと同一であり、上層部１１は小穴４を複数有する皮革材であり、下層部１３はメッシュ材で構成されている。【００４８】  本実施例の中敷５０では、中層部５１が実施例１の中敷２０の中層部１２とは異なる。実施例１の中層部１２は、その周縁部は略Ｕ字形状を有し楕円断面チューブ１２ａで構成されており、その内側は長短の長さを有する直線状の複数の楕円断面チューブ１２ａが足の縦方向に配置されていた。しかし、本実施例の中敷５０の中層部５１は、内側の楕円断面チューブ１２ａが直線状であるものの足の中間部では足の横方向に楕円断面チューブ１２ａが設置されている点が異なる。このように、中層部５１で楕円断面チューブ１２ａを足の横方向に設置するのは、蒸れ防止機能付き中敷５０が足の左右の両側で反り返るのを防止するためである。実施例１の中敷２０では、中層部１２の直線状の楕円断面チューブ１２ａがすべて縦方向に配置されているため、左右の両側で反りやすいという課題が有り、靴の内部の底で平面状に設置できない、又は靴の使用とともに次第に中敷２０が反ってしまうことも有り得る。これでは、靴の内部における蒸れ防止を充分に行うことができない。本実施例の中敷５０の中層部５１は、足の横方向に設置された複数の直線状の楕円断面チューブ１２ａを有しているため、蒸れ防止機能付き中敷５０の左右の反りを防止することができ、靴の内部の蒸れ防止を確実に行うことができる。【００４９】  図１０は、本実施例の中敷の他の例を示す図であり、図１０（ａ）は外観図であり、図１０（ｂ）はその構成を示す図である。図１０の中敷６０は、上層部６１は目の粗いメッシュ材で、下層部１５は目の細かいメッシュ材で構成されている。また、中層部６２は図９の中層部５１と同様に構成されているが、楕円断面チューブ１２ｃの代わりに空気穴のない円形断面チューブ２ｃが使用されている。これは、上層部６１がメッシュ材で構成されているため、靴内部の空気の流通が充分であり、空気穴５を設ける必要がないからであり、かつ小穴４を上層部６１が有していないため位置合わせの必要がなく、円形断面チューブ２ｃで十分に機能するためである。従って、中層部６２の円形断面チューブ２ｃは、その端部の穴から空気を吸入し、他の端部の穴から吸入した空気を排出することになる。勿論、楕円断面チューブ１２ｃが複数の空気穴５を有していてもよい。ただ、空気穴５を有さない場合より空気の循環は円滑に行えるが、空気穴５を形成するのにコストがかかるという問題がある。中敷６０は、低いコストで作成でき、かつ左右の反り返りのない中敷である。なお、本実施例の中敷５０，６０を用いて、既に述べたスリッパや靴を構成してもよい。【００５０】  本実施例によれば、長期間使用しても十分に蒸れ防止機能を発揮する蒸れ防止機能付き中敷を提供することができる。
【実施例５】
【００５１】  本実施例の中敷の上層部７１を図１１（ａ）に、中層部７２を図１１（ｂ）に、下層部７３を図１１（ｃ）に示す。本実施例の中敷は、中層部７２の周縁部が２段のＵ字形状の円形断面チューブ２ｃで構成され、更に下層部７３の側部周面上に両面接着テープ７５が貼り付けられていることが特徴である。【００５２】  図１０の実施例４の中敷６０と同様、上層部７１は目の粗いメッシュ材で、下層部７３は目の細かいメッシュ材で構成されている。但し、中層部７２の周縁部が２段の空気穴のない円形断面チューブ２ｃで構成されているため、上層部７１と下層部７３はその縁に立ちあがった側面部７１ａ，７３ａを有している。そして、下層部７３の側面部７３ａの表面には、両面接着テープ７５が貼り付けられている。【００５３】  本実施例の中敷７０の実際の使用状態を図１２（ａ）に示す。なお、図１２（ａ）は中層部７２が空気穴のない円形断面チューブ２ｃで構成された場合を示しているが、図１２（ｂ）は空気穴の有る楕円断面チューブ１２ａで構成された場合を、図１２（ｃ）は空気穴の有る台形断面チューブ１６ａで構成された場合を示している。いずれの場合も、下層部７３，１３の側部に貼り付けられた両面接着テープ７５は、靴内部の側壁に貼り付けられており、蒸れ防止機能付き中敷７０，８０，９０が靴３０の内部で移動するのを防止している。【００５４】  図１２に示したように、蒸れ防止機能付き中敷７０，８０，９０は、足の側面部の内部空気も循環させることができるとともに足の側面部での緩衝作用も有し、特にスポーツを行う人の足の保護、蒸れ防止に有効に機能する。【００５５】  本実施例の他の中敷の構成を図１３に示す。図１３（ａ）は上層部１０１を、図１３（ｂ）は中層部１０２を、図１３（ｃ）は下層部１０３を示している。図１３の中敷も、上層部１０１が目の粗いメッシュ材で、下層部１０３が目の細かいメッシュ材で構成されている。中層部１０２は空気穴のない円形断面チューブ２ｃで構成されているが、縁は三層のＵ字形状の円形断面チューブ２ｃで構成されている。そのため、上層部１０１と下層部１０３はその周縁部に立ち上がった側面部１０１ａ，１０３ａを有している。この中敷１００の実際の使用例を図１４（ａ）に示す。なお、図１４（ｂ）は、上層部１１を小穴４を複数有する皮革材で構成し、中層部を空気穴５を有する楕円断面チューブ１２ａで構成した例であり、図１４（ｃ）は中層部を空気穴５を有する台形断面チューブ１６ａで構成した例である。なお、図１４の中敷１００の下層部１０３の側面部１０３ａの表面には、図１２の中敷７０と同様に両面接着テープ７５を貼り付けてもよい。【００５６】  このように、中層部の円形断面チューブ２ｃ、楕円断面チューブ１２ａ、台形断面チューブ１６ａを３段に構成すると、足の側部が２段のチューブで保護されることとなり、足が受ける衝撃をより緩和することができるとともに、足の側部の蒸れ防止を確実に行うことができる。なお、本実施例の中敷７０，１００を用いて、既に述べたスリッパや靴を構成してもよい。【００５７】  本実施例によれば、長期間使用しても十分に蒸れ防止機能を発揮する蒸れ防止機能付き中敷を提供することができる。
【符号の説明】
【００５８】４              小穴５              空気穴６              裁縫糸１１，１４      上層部１２            中層部１２ａ，１２ｂ，１２ｃ  楕円断面チューブ１３，１５      下層部１６ａ，１６ｂ，１６ｃ  台形断面チューブ２０，２１      蒸れ防止機能付き中敷３０            靴３０ａ          前方空気穴３０ｂ          後方空気穴３０ｃ，３０ｄ  防水透湿性素材３１            靴底４０            蒸れ防止機能付きスリッパ５０，６０      蒸れ防止機能付き中敷５１，６２，７２，９２      中層部６１，７１，９１            上層部７０，８０，９０            蒸れ防止機能付き中敷７３，９３      下層部７５            両面接着テープ１００，１１０，１２０      蒸れ防止機能付き中敷
【図１】
2016084252.tif 000003
【図２】
2016084252.tif 000004
【図３】
2016084252.tif 000005
【図４】
2016084252.tif 000006
【図５】
2016084252.tif 000007
【図６】
2016084252.tif 000008
【図７】
2016084252.tif 000009
【図８】
2016084252.tif 000010
【図９】
2016084252.tif 000011
【図１０】
2016084252.tif 000012
【図１１】
2016084252.tif 000013
【図１２】
2016084252.tif 000014
【図１３】
2016084252.tif 000015
【図１４】
2016084252.tif 000016
【図１５】
2016084252.tif 000017
【図１６】
2016084252.tif 000018
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
靴中に載置される足形に形成された中敷であって、
前記足形に形成され、複数の小穴が形成された上層部と、
前記小穴に対応する位置に複数の空気穴が穿孔された複数のチューブにより形成され、前記複数のチューブが前記足形の前方と後方では足形の前後方向に設置され、前記足形の中間部では足形の左右方向に設置された中層部と、
格子状に織られたメッシュ布を前記足形に形成した下層部と、から構成され、
前記複数のチューブが所定の間隔を保持するように前記上層部、前記中層部及び前記下層部が縫製されて成ることを特徴とする蒸れ防止機能付き中敷。
【請求項２】
前記複数のチューブの断面形状が、円形、楕円及び台形のいずれかであることを特徴とする請求項１に記載の蒸れ防止機能付き中敷。
【請求項３】
前記上層部が、皮革材又はスポンジ材で構成されていることを特徴とする請求項１に記載の蒸れ防止機能付き中敷。
【請求項４】
靴中に設置される足形に形成された中敷であって、
格子状に織られたメッシュ布を前記足形に形成した上層部及び下層部と、
複数のチューブにより形成され、前記複数のチューブが前記足形の前方と後方では足形の前後方向に設置され、前記足形の中間部では足形の左右方向に設置された中層部と、から構成され、
前記複数のチューブが所定の間隔を保持するように前記上層部、前記中層部及び前記下層部が縫製されて成ることを特徴とする蒸れ防止機能付き中敷。
【請求項５】
前記下層部のメッシュ布の目が、前記上層部のメッシュ布の目よりも細かいことを特徴とする請求項４に記載の蒸れ防止機能付き中敷。
【請求項６】
前記中層部の複数のチューブの１つが、踵部から足側部の周縁部に沿うようにＵ字形状に形成されたことを特徴とする請求項１又は４に記載の蒸れ防止機能付き中敷。
【請求項７】
前記中層部は、前記Ｕ字形状に形成されたチューブの上側に更にＵ字形状に形成されたチューブが１層又は２層積載され、
前記上層部と前記下層部が、積載された前記Ｕ字形状のチューブを挟み込むための側面部を有することを特徴とする請求項６に記載の蒸れ防止機能付き中敷。
【請求項８】
前記下層部の前記側面部の表面に両面接着テープが設置されていることを特徴とする請求項７に記載の蒸れ防止機能付き中敷。
【請求項９】
（削除）
【請求項１０】
（削除）
【請求項１１】
（削除）
【請求項１２】
（削除）
【請求項１３】
請求項１乃至８のいずれか１項に記載の蒸れ防止機能付き中敷を有する靴であって、前記靴のつま先部と踵部に空気穴を有することを特徴とする靴。
【請求項１４】
前記靴の前記空気穴が形成された箇所の内側に、防水透湿性素材が設置されていることを特徴とする請求項１３に記載の靴。
【請求項１５】
請求項１乃至８のいずれか１項に記載の蒸れ防止機能付き中敷をスリッパ底としたことを特徴とするスリッパ。
【手続補正２】
【補正対象書類名】明細書
【補正対象項目名】０００４
【補正方法】変更
【補正の内容】
【０００４】
沿うようにＵ字形状に形成されたことを特徴とする前記（１）又は（４）に記載の蒸れ防止機能付き中敷。
［００１９］
（７）前記中層部は、前記Ｕ字形状に形成されたチューブの上側に更にＵ字形状に形成されたチューブが１層又は２層積載され、
前記上層部と前記下層部が、積載された前記Ｕ字形状のチューブを挟み込むための側面部を有することを特徴とする前記（６）に記載の蒸れ防止機能付き中敷。
［００２０］
（８）前記下層部の前記側面部の表面に両面接着テープが設置されていることを特徴とする前記（７）に記載の蒸れ防止機能付き中敷。
［００２１］
［００２２］
［００２３］
［００２４］
［００２５］
（１３）前記（１）乃至（８）のいずれか１項に記載の蒸れ防止機能付
【手続補正３】
【補正対象書類名】明細書
【補正対象項目名】０００５
【補正方法】変更
【補正の内容】
【０００５】
き中敷を有する靴であって、前記靴のつま先部と踵部に空気穴を有することを特徴とする靴。
［００２６］
（１４）前記靴の前記空気穴が形成された箇所の内側に、防水透湿性素材が設置されていることを特徴とする前記（１３）に記載の靴。
［００２７］
（１５）前記（１）乃至（８）のいずれか１項に記載の蒸れ防止機能付き中敷をスリッパ底としたことを特徴とするスリッパ。
発明の効果
［００２８］
本発明によれば、長期間使用しても十分に蒸れ防止機能を発揮する蒸れ防止機能付き中敷及びそれを備えた靴及びスリッパを提供することができる。
図面の簡単な説明
［００２９］
［図１］実施例１の蒸れ防止機能付き中敷の構成を示す図
［図２］実施例１の蒸れ防止機能付き中敷の他の構成を示す図
［図３］実施例１の楕円断面チューブ及び台形断面チューブの中層部を示す図
［図４］実施例１の蒸れ防止機能付き中敷の使用状態を示す図
［図５］実施例１の他の蒸れ防止機能付き中敷の使用状態を示す図
［図６］実施例１の蒸れ防止機能付き中敷内の空気の流れを示す図
［図７］実施例２の蒸れ防止機能付きスリッパを示す図
［図８］実施例３の蒸れ防止機能付き中敷を用いた靴を示す図
［図９］実施例４の蒸れ防止機能付き中敷の構成を示す図
［図１０］実施例４の他の蒸れ防止機能付き中敷の構成を示す図
［図１１］実施例５の蒸れ防止機能付き中敷の構成を示す図
［図１２］実施例５の蒸れ防止機能付き中敷の使用状態を示す図
［図１３］実施例５の他の蒸れ防止機能付き中敷の構成を示す図
［図１４］実施例５の他の蒸れ防止機能付き中敷の使用状態を示す図
［図１５］従来の蒸れ防止機能付き中敷の構成を示す図
［図１６］従来の蒸れ防止機能付き中敷の使用状態及びチューブの蛇行状態を示す図
発明を実施するための形態
【国際調査報告】
2016084252.tif 000019
2016084252.tif 000020
2016084252.tif 000021
2016084252.tif 000022
2016084252.tif 000023
2016084252.tif 000024
2016084252.tif 000025
2016084252.tif 000026